(57)【要約】【課題】透過型スクリーンの場所によらず一定の拡散性能を有するとともに透過型スクリーンのどこにおいてもモアレの発生を抑え、さらに安価なコストで製造可能な透過型スクリーンを提供するとともに、そのように優れた透過型スクリーンを備えたリア型プロジェクタを提供する。【解決手段】光の射出面側表面にフレネルレンズが形成されたフレネルレンズ部と、該フレネルレンズ部の射出面側に配置され入射面側表面に多数のレンズが形成されたレンズアレイ部とを有する透過型スクリーンであって、少なくともこの透過型スクリーンの周辺部分において前記フレネルレンズ部と前記レンズアレイ部とを離間させる離間手段をさらに有することを特徴とする透過型スクリーン。また、そのような優れた透過型スクリーンを備えたことを特徴とするリア型プロジェクタ。【選択図】　　　図１
2004093933.tif 000002
【特許請求の範囲】
【請求項１】
光の射出面側表面にフレネルレンズが形成されたフレネルレンズ部と、該フレネルレンズ部の射出面側に配置され入射面側表面に多数のレンズが形成されたレンズアレイ部とを有する透過型スクリーンであって、少なくとも該透過型スクリーンの周辺部分において前記フレネルレンズ部と前記レンズアレイ部とを離間させる離間手段をさらに有することを特徴とする透過型スクリーン。
【請求項２】
請求項１に記載の透過型スクリーンにおいて、前記離間手段は、前記フレネルレンズ部と前記レンズアレイ部との間に配置された透明平面板であることを特徴とする透過型スクリーン。
【請求項３】
請求項１に記載の透過型スクリーンにおいて、前記離間手段は、前記透過型スクリーンの周辺部分において前記フレネルレンズ部と前記レンズアレイ部とを離間させるスペーサーであることを特徴とする透過型スクリーン。
【請求項４】
請求項１に記載の透過型スクリーンにおいて、前記離間手段は、前記透過型スクリーンの周辺部分において前記フレネルレンズ部と前記レンズアレイ部とを離間させるように構成された保持部材であることを特徴とする透過型スクリーン。
【請求項５】
請求項１に記載の透過型スクリーンにおいて、前記離間手段は、前記透過型スクリーンの周辺部分におけるフレネルレンズ表面を入射面側に後退させた構造であることを特徴とする透過型スクリーン。
【請求項６】
請求項１乃至５のいずれかに記載の透過型スクリーンにおいて、前記レンズアレイ部は、入射面側表面に多数のレンチキュラーレンズが形成されたレンズアレイ部であることを特徴とする透過型スクリーン。
【請求項７】
請求項１乃至５のいずれかに記載の透過型スクリーンにおいて、前記レンズアレイ部は、入射面側表面に多数のマイクロレンズが形成されたレンズアレイ部であることを特徴とする透過型スクリーン。
【請求項８】
投写光学ユニットと、導光ミラーと、請求項１乃至７のいずれかに記載の透過型スクリーンと、を備えたことを特徴とするリア型プロジェクタ。
【発明の詳細な説明】
【０００１】
【発明が属する技術分野】
本発明は透過型スクリーン及びリア型プロジェクタに関する。
【０００２】
【従来の技術】
近年、リア型プロジェクタは、ホームシアター用モニター、大画面テレビなどに好適なディスプレイとして、需要が高まりつつある。
【０００３】
図７は、リア型プロジェクタの光学系を示す図である。このリア型プロジェクタ１０は、図７に示されるように、画像を投写する投写光学ユニット２０と、この投写光学ユニット２０により投写された投写画像を導光する導光ミラー３０と、この導光ミラー３０により導光された投写画像が投写される透過型スクリーン４０とが筐体５０内に配置された構成を有している。
【０００４】
このようなリア型プロジェクタ１０に用いられる透過型スクリーン４０としては、スクリーン面においてモアレが生じないことが求められている。特開平１−３１９０２５号公報には、このようなモアレが生じないようにした透過型スクリーンが開示されている。図８は、この透過型スクリーン９００の断面構造を示す図である。図８（ａ）は透過型スクリーン９００の側面からみた断面構造を示す図であり、図８（ｂ）は透過型スクリーン９００の上面からみた断面構造を示す図である。この透過型スクリーン９００は、図８に示されるように、射出面側表面にフレネルレンズ９１０ａが形成されたフレネルレンズ部９１０と、このフレネルレンズ部９１０の射出面側に配置され入射面側表面に多数のレンチキュラーレンズ９２０ａが形成され出射側表面に出射面９２０ｄ、ブラックストライプ９２０ｃ及び突出部９２０ｂが形成されたレンチキュラーレンズ部９２０とを有している。そして、フレネルレンズ９１０ａのピッチとブラックストライプ９２０ｃのピッチのうち少なくとも一方のピッチをランダムにしている。
【０００５】
このため、この透過型スクリーン９００においては、光学的干渉が抑制される結果、スクリーン面でモアレが生じないようになっている。
【０００６】
しかしながら、上記した透過型スクリーン９００においては拡散性能が透過型スクリーンの場所によって異なってしまうという問題点があった。すなわち、レンチキュラーレンズにおいては所望の拡散性能を発揮するように曲率半径とピッチとが設定される必要があるが、このピッチがランダムになっているため拡散性能が透過型スクリーンの場所により異なってしまうのである。
また、透過型スクリーンの場所によりフレネルレンズとレンチキュラーレンズの干渉条件が異なり、しかもその重なり方には個体差が生じてしまうため、透過型スクリーンのどの場所においてもモアレを防止させることが難しいという問題点もあった。
さらにまた、フレネルレンズやレンチキュラーレンズの製造が容易ではなくなり、スクリーンコストを増大させてしまうという問題点もあった。
【０００７】
【発明が解決しようとする課題】
そこで、本発明は、透過型スクリーンの場所によらず一定の拡散性能を有するとともに透過型スクリーンのどこにおいてもモアレの発生を抑え、さらに安価なコストで製造可能な透過型スクリーンを提供することを目的とする。また、本発明は、そのように優れた透過型スクリーンを備えたリア型プロジェクタを提供することを目的とする。
【０００８】
【課題を解決するための手段】
本発明の発明者らは、上記課題を解決すべく鋭意努力した結果、フレネルレンズ部とレンズアレイ部とを所定の間隔で離間させる離間手段を設けることによって、透過型スクリーンの場所によらず一定の拡散性能を有するとともに透過型スクリーンのどこにおいてもモアレの発生を抑え、さらに安価なコストで製造可能な透過型スクリーンを提供することができることを見出し、本発明を完成するに至った。
【０００９】
（１）本発明の透過型スクリーンは、光の射出面側表面にフレネルレンズが形成されたフレネルレンズ部と、該フレネルレンズ部の射出面側に配置され入射面側表面に多数のレンズが形成されたレンズアレイ部とを有する透過型スクリーンであって、少なくともこの透過型スクリーンの周辺部分において前記フレネルレンズ部と前記レンズアレイ部とを離間させる離間手段をさらに有することを特徴とする。
【００１０】
本発明の発明者らは、上記した従来の透過型スクリーンにおいてモアレが発生するメカニズムを解析した結果、透過型スクリーンの周辺部においてモアレが顕著に表れることが明らかになった。すなわち、モアレは、フレネルレンズのピッチとレンチキュラーレンズのピッチが所定の関係を満たすことの他に、フレネルレンズの特に周辺近傍においてフレネルレンズとレンチキュラーレンズとが過度に密着することにより発生し易くなるのである。
【００１１】
このため、少なくともモアレが顕著に現れる透過型スクリーン周辺部分においてフレネルレンズ部とレンズアレイ部とを離間させる離間手段を設けることによって、フレネルレンズ部とレンズアレイ部とが過度に密着しないようになり、透過型スクリーンの周辺部分におけるモアレの発生を効果的に防止することができるようになる。
【００１２】
また、本発明の透過型スクリーンにおいては、フレネルレンズ部やレンズアレイ部に含まれる光学要素のピッチをランダムにする必要はないので、透過型スクリーンの場所によらず一定の拡散性能を有している。また同様に、光学要素のピッチをランダムにすることはないので製造コストの増大を招くこともない。
【００１３】
（２）上記（１）に記載の透過型スクリーンにおいては、前記離間手段は、前記フレネルレンズ部と前記レンズアレイ部との間に配置された透明平面板であることが好ましい。
【００１４】
このように構成することにより、フレネルレンズ部とレンズアレイ部との間に透明平面板を配置するという、ごく簡単な手段を用いるだけで、透過型スクリーンの周辺部分におけるモアレの発生を効果的に防止することができる。
【００１５】
この場合において、透明平面板の厚みは、１０μｍ〜２ｍｍの範囲内の値とすることが好ましい。１０μｍ以上とするのは、モアレを十分に抑制するためである。この観点からいえば透明平面板の厚みを３０μｍ以上とすることがより好ましく、１００μｍ以上とすることがさらに好ましい。一方、２ｍｍ以下とするのは、あまり厚すぎるとリア型プロジェクタとしての解像度が低下してしまうためであり、この観点からいえば、１ｍｍ以下とするのがより好ましく、５００μｍ以下とすることがさらに好ましい。透明平面板の材料としては、ポリカーボネート、ポリメチルメタクリレート、ポリプロピレンなどの各種樹脂を好適に用いることができる。
【００１６】
（３）上記（１）に記載の透過型スクリーンにおいては、前記離間手段は、前記フレネルレンズ部と前記レンズアレイ部とを透過型スクリーンの周辺部分で離間させるスペーサーであることも好ましい。
【００１７】
このように構成することにより、透過型スクリーンの周辺部分にフレネルレンズ部とレンズアレイ部とを離間させるためのスペーサーを設けるという、ごく簡単な手段を用いるだけで、透過型スクリーンの周辺部分におけるモアレの発生を効果的に防止することができる。
【００１８】
この場合において、スペーサーの厚みも、上記透明平面板の場合と同様に、１０μｍ〜２ｍｍの範囲内の値とすることが好ましい。１０μｍ以上とするのは、モアレを十分に抑制するためである。この観点からいえばスペーサーの厚みを３０μｍ以上とすることがより好ましく、１００μｍ以上とすることがさらに好ましい。一方、２ｍｍ以下とするのは、あまり厚すぎるとリア型プロジェクタとしての解像度が低下してしまうためであり、この観点からいえば、１ｍｍ以下とするのがより好ましく、５００μｍ以下とすることがさらに好ましい。スペーサーの材料としても、上記透明平面板の場合と同様に、ポリカーボネート、ポリメチルメタクリレート、ポリプロピレンなどの各種樹脂を好適に用いることができる。
【００１９】
スペーサーは、透過型スクリーンを囲むように透過型スクリーンの周辺部分全体にわたって配置することもできるし、モアレが発生し易い透過型スクリーンの両側にのみ配置する（すなわち、透過型スクリーン上下方向にはスペーサーを配置しない）こともできる。
【００２０】
（４）上記（１）に記載の透過型スクリーンにおいては、前記離間手段は、前記フレネルレンズ部と前記レンズアレイ部とを透過型スクリーンの周辺部分で離間させるように構成された保持部材であることも好ましい。
【００２１】
このように構成することにより、所定の保持部材にフレネルレンズ部とレンズアレイ部を保持させるという、ごく簡単な手段を用いるだけで、透過型スクリーンの周辺部分におけるモアレの発生を効果的に防止することができる。
【００２２】
保持部材は、透過型スクリーンを囲むように透過型スクリーンの周辺部分全体にわたって配置することもできるし、モアレが発生しやすい透過型スクリーンの両側にのみ配置する（すなわち、透過型スクリーン上下方向には保持部材を配置しない）こともできる。
【００２３】
（５）　上記（１）に記載の透過型スクリーンにおいては、前記離間手段は、この透過型スクリーンの周辺部分におけるフレネルレンズ表面を入射面側に後退させた構造であることも好ましい。
【００２４】
このように構成することにより、透過型スクリーンの周辺の所定部分におけるフレネルレンズ表面を入射面側に後退させるという、ごく簡単な手段を用いるだけで、透過型スクリーンの周辺部分におけるモアレの発生を効果的に防止することができる。
【００２５】
この場合において、フレネルレンズ表面の後退距離は、１０μｍ〜２ｍｍの範囲内の値とすることが好ましい。１０μｍ以上とするのは、モアレを十分に抑制するためである。この観点からいえば後退距離を３０μｍ以上とすることがより好ましく、１００μｍ以上とすることがさらに好ましい。一方、２ｍｍ以下とするのは、あまり後退させすぎるとリア型プロジェクタとしての解像度が低下してしまうためであり、この観点からいえば、１ｍｍ以下とするのがより好ましく、５００μｍ以下とすることがさらに好ましい。フレネルレンズの表面を所定量後退させる方法としては、フレネルレンズを成型する金型に予め後退形状を形成させる方法を好適に用いることができる。
【００２６】
フレネルレンズ表面を後退させる領域は、透過型スクリーンを囲むように透過型スクリーンの周辺部分全体にわたって配置することもできるし、モアレが発生しやすい部分である透過型スクリーンの両側にのみ配置する（すなわち、透過型スクリーン上下方向にはフレネルレンズ表面を後退させない）こともできる。
【００２７】
（６）本発明の透過型スクリーンにおいては、前記レンズアレイ部は、入射面側表面に多数のレンチキュラーレンズが形成されたものとすることができる。
【００２８】
（７）本発明の透過型スクリーンにおいては、前記レンズアレイ部は、入射面側表面に多数のマイクロレンズが形成されたものとすることもできる。
【００２９】
（８）本発明のリア型プロジェクタは、投写光学ユニットと、導光ミラーと、上記（１）乃至（７）のいずれかに記載の透過型スクリーンと、を備えたことを特徴とする。
【００３０】
このため、本発明のリア型プロジェクタは、上記したように、透過型スクリーンの場所によらず一定の拡散性能を有するとともに透過型スクリーンのどこにおいてもモアレの発生を抑え、さらに安価なコストで製造可能な優れた透過型スクリーンを備えているので、優れたリア型プロジェクタとなる。
【００３１】
【発明の実施の形態】
以下、図面を用いて、本発明の実施の形態を説明する。
【００３２】
（実施形態１）
図１は、実施形態１に係る透過型スクリーンの断面構造（上面方向から見た断面構造）を示す図である。図１に示されるように、この透過型スクリーン１００は、光の射出面側表面にフレネルレンズが形成されたフレネルレンズ部１１０と、フレネルレンズ部１１０の射出面側に配置され入射面側表面に多数のレンチキュラーレンズが形成されたレンズアレイ部１２０と、を有する透過型スクリーンである。そして、透過型スクリーン１００は、フレネルレンズ部１１０とレンズアレイ部１２０との間に配置された透明平面板１３０をさらに有している。
【００３３】
このため、少なくともモアレが顕著に表れる透過型スクリーン１００の周辺部分は、フレネルレンズ部１１０とレンズアレイ部１２０とを離間させる透明平面板１３０が設けられているため、フレネルレンズ部１１０とレンズアレイ部１２０とが過度に密着しないようになり、透過型スクリーン１００の周辺部分におけるモアレの発生を効果的に防止することができる。
【００３４】
図２は、実施形態１に係る透過型スクリーン１００の効果を示す図である。図２（ａ）は、実施形態１に係る透過型スクリーン１００の場合を示し、図２（ｂ）は、透明平面板を有していない透過型スクリーン１００ａの場合を示す。図２にも示されているように、実施形態１に係る透過型スクリーン１００は、透明平面板を有していない透過型スクリーン１１０ａの場合に見られたモアレの発生が防止されている。
【００３５】
また、実施形態１に係る透過型スクリーン１００においては、フレネルレンズ部１１０やレンズアレイ部１２０に含まれる光学要素のピッチをランダムにする必要はないので、透過型スクリーンの場所によらず一定の拡散性能を有している。また、フレネルレンズ部１１０やレンズアレイ部１２０に含まれる光学要素のピッチをランダムにすることはないので製造コストの増大を招くこともない。
【００３６】
なお、透明平面板は、厚み３００μｍのポリメチルメタクリレートのフィルムを用いた。透明平面板の両面には無反射コーティングを施してある。
【００３７】
（実施形態２）
図３は、実施形態２に係る透過型スクリーンの断面構造（上面方向から見た断面構造）を示す図である。図３に示されるように、この透過型スクリーン２００は、光の射出面側表面にフレネルレンズが形成されたフレネルレンズ部２１０と、フレネルレンズ部２１０の射出面側に配置され入射面側表面に多数のレンチキュラーレンズが形成されたレンズアレイ部２２０と、を有する透過型スクリーンである。そして、この透過型スクリーン２００は、この透過型スクリーン２００の周辺部分において前記フレネルレンズ部２１０と前記レンズアレイ部２２０とを離間させるスペーサー２３０を有している。
【００３８】
このため、透過型スクリーン２００の周辺部分にフレネルレンズ部２１０とレンズアレイ部２２０とを離間させるためのスペーサー２３０を設けるという、ごく簡単な手段を用いるだけで、透過型スクリーン２００の周辺部分におけるモアレの発生を効果的に防止することができる。
【００３９】
実施形態２においては、スペーサー２３０の材料として厚み３００μｍのポリカーボネートを用いた。スペーサー２３０の両面には無反射コーティングを施してある。
【００４０】
スペーサー２３０は、透過型スクリーン２００を囲むように透過型スクリーンの周辺部分全体にわたって配置することもできるし、モアレが発生しやすい部分である透過型スクリーンの両側にのみ配置する（すなわち、透過型スクリーン上下方向にはスペーサーを配置しない）こともできる。
スペーサー２３０の配置位置は、透過型スクリーン２００の表示領域の外側にすることもできる。この場合は、スペーサー２３０は透明な材質である必要はなく無反射コーティングも不要である。また、スペーサー２３０の厚みは、モアレが発生しやすい部分でフレネルレンズ部２１０とレンズアレイ部２２０とが確実に離間するように２ｍｍとした。
【００４１】
なお、フレネルレンズ部２１０には光の射出方向に凸となる反りを予め施すとよい。フレネルレンズ部２１０の成型直後に反り型上に放置することにより反り形状を付与する方法を用いた。これにより、フレネルレンズ部２３０とレンズアレイ部２２０とは、スクリーン周辺部では離間することによりモアレを効果的に防止し、それより内側の領域では密着することにより画像の解像度を高めることが可能となる。当然のことながら、反りはレンズアレイ部２２０に付与しても、さらにフレネルレンズ部２１０およびレンズアレイ部２２０双方に付与してもよい。
【００４２】
（実施形態３）
図４は、実施形態３に係る透過型スクリーンの断面構造（上面方向から見た断面構造）を示す図である。図５は、実施形態３に係る透過型スクリーンの平面図を示す図である。図４及び図５に示されるように、この透過型スクリーン３００は、光の射出面側表面にフレネルレンズが形成されたフレネルレンズ部３１０と、フレネルレンズ部３１０の射出面側に配置され入射面側表面に多数のレンチキュラーレンズが形成されたレンズアレイ部３２０と、を有する透過型スクリーンである。そして、この透過型スクリーン３００は、離間手段として、透過型スクリーン３００の周辺部分においてフレネルレンズ部３１０とレンズアレイ部３２０とを離間させるように構成された保持部材３３０を有している。
【００４３】
このため、所定の保持部材３３０にフレネルレンズ部３１０とレンズアレイ部３２０を保持させるという、ごく簡単な手段を用いるだけで、透過型スクリーン３００の周辺部分におけるモアレの発生を効果的に防止することができる。
【００４４】
保持部材３３０は、透過型スクリーン３００を囲むように透過型スクリーン３００の周辺部分全体にわたって配置することもできるし、モアレが発生しやすい部分である透過型スクリーン３００の両側にのみ配置する（すなわち、透過型スクリーン３００の上下方向には保持部材を配置しない）こともできる。この場合においても、図５（ａ）のように透過型スクリーン３００の両側の辺全部に保持部材３３０を設けることもできるし、図５（ｂ）のようにモアレが発生し易い透過型スクリーンの両側の辺の中央部近傍に保持部材３３２を設けることもできる。透過型スクリーン３００の周辺部分におけるフレネルレンズ部３１０とレンズアレイ部３２０との間の間隔は３００μｍとなるようにしている。
【００４５】
実施形態３においても、実施形態２と同様にフレネルレンズ部３１０とレンズアレイ部３２０の少なくとも一方に反りを付与することによりモアレ防止と解像度向上とを両立させるのがよい。また、反りを付与する別の手段として、保持部３３０の保持構造にフレネルレンズ部３１０とレンズアレイ部３２０の少なくとも一方を反らせる方向のテーパーを設けてもよい。
【００４６】
（実施形態４）
図６は、実施形態４に係る透過型スクリーンの断面構造（上面方向から見た断面構造）を示す図である。図６に示されるように、この透過型スクリーン４００は、光の射出面側表面にフレネルレンズが形成されたフレネルレンズ部４１０と、フレネルレンズ部４１０の射出面側に配置され入射面側表面に多数のレンチキュラーレンズが形成されたレンズアレイ部４２０と、を有する透過型スクリーンである。そして、透過型スクリーン４００は、離間手段として、この透過型スクリーン４００の周辺部分におけるフレネルレンズ表面を入射面側に後退させた構造４３０を有している。
【００４７】
このため、実施形態４に係る透過型スクリーン４００においては、透過型スクリーン４００の周辺の所定部分におけるフレネルレンズ表面を入射面側に後退させるという、ごく簡単な手段を用いるだけで、透過型スクリーン４００の周辺部分におけるモアレの発生を効果的に防止することができる。
【００４８】
フレネルレンズ表面の後退距離ｄは３００μｍとしている。フレネルレンズの表面を後退させる方法としては、フレネルレンズを成型する金型に予め後退形状を形成させる方法を用いた。
【００４９】
なお、フレネルレンズ表面を後退させる領域は、透過型スクリーン４００を囲むように透過型スクリーン４００の周辺部分全体にわたって配置することもできるし、モアレが発生し易い透過型スクリーン４００の両側にのみ配置する（すなわち、透過型スクリーン４００の上下方向にはフレネルレンズ表面を後退させない）こともできる。
【００５０】
（実施形態５）
本発明の実施形態５に係る透過型スクリーンは、実施形態１乃至４に係る透過型スクリーンにおけるレンズ部１２０，２０，３２０，４２０を、多数のレンチキュラーレンズが形成されたものから多数のマイクロレンズが形成されたものに変更して、上下方向の視野角特性を改善したものである。このようにマイクロレンズをレンズアレイ部に用いた透過型スクリーンにおいても、少なくともこの透過型スクリーンの周辺部分において前記フレネルレンズ部と前記レンズアレイ部とが離間されているため、透過型スクリーンの場所によらず一定の拡散性能を有するとともに透過型スクリーンのどこにおいてもモアレが発生することがなく、さらに安価なコストで製造可能な透過型スクリーンとなるという効果がある。
【００５１】
なお、実施形態１乃至実施形態５に係る透過型スクリーン１００，２００，３００，４００を例にとって、本発明の透過型スクリーンを説明したが、本発明の透過型スクリーンは、これに限られない。例えば、レンズアレイ部１２０の射出面側に、ブラックストライプや光拡散板や他のマイクロレンズをさらに採用することもでき、本発明の主旨を逸脱しない範囲で種々の変形例が可能である。
【００５２】
（実施形態６）
本発明の実施形態６に係るリア型プロジェクタは、図７に示されたリア型プロジェクタ１０の透過型スクリーン４０に、実施形態１乃至５のいずれかに係る透過型スクリーン１００，２００，３００，４００を用いたものである。すなわち、実施形態６に係るリア型プロジェクタ１０は、投写光学ユニット２０と、導光ミラー３０と、実施形態１乃至５のいずれかに係る透過型スクリーン１００，２００，３００，４００とが筐体５０に配置された構成を有している。
【００５３】
そして、このリア型プロジェクタ１０は、その透過型スクリーン４０として、透過型スクリーンの場所によらず一定の拡散性能を有するとともに透過型スクリーンのどこにおいてもモアレが発生することがなく、さらに安価なコストで製造可能な実施形態１乃至５のいずれかに係る透過型スクリーン１００，２００，３００，４００を採用している。このため、表示品質が良く安価で優れたリア型プロジェクタとなる。
【図面の簡単な説明】
【図１】本発明の実施形態１に係る透過型スクリーンの断面構造を示す図である。
【図２】本発明の実施形態１に係る透過型スクリーンの効果を示す図である。
【図３】本発明の実施形態２に係る透過型スクリーンの断面構造を示す図である。
【図４】本発明の実施形態３に係る透過型スクリーンの断面構造を示す図である。
【図５】本発明の実施形態３に係る透過型スクリーンの平面図を示す図である。
【図６】本発明の実施形態４に係る透過型スクリーンの断面構造を示す図である。
【図７】従来のリア型プロジェクタの光学系を示す図である。
【図８】従来の透過型スクリーンの断面構造を示す図である。
【符号の説明】
１０・・リア型プロジェクタ
２０・・・画像投写ユニット
３０・・・導光ミラー
４０・・・透過型スクリーン
５０・・・筐体
１００，２００，３００，４００，９００・・・透過型スクリーン
１１０，２１０，３１０，４１０，９１０・・・フレネルレンズ部
１２０、２２０，３２０，４２０，９２０・・・レンズアレイ部
１３０・・・平面透明板
２３０・・・スペーサー
３３０，３３２・・・保持部材
４３０・・・フレネルレンズ表面を入射面側に後退させた構造
Ｍ・・・モアレ
【図１】
2004093933.tif 000003
【図２】
2004093933.tif 000004
【図３】
2004093933.tif 000005
【図４】
2004093933.tif 000006
【図５】
2004093933.tif 000007
【図６】
2004093933.tif 000008
【図７】
2004093933.tif 000009
【図８】
2004093933.tif 000010